(57)【要約】【課題】手で保持する必要がいらない、着座姿勢のままで、頭部にシャワーした湯水を、完全に防水する事が可能な防水器具。【解決手段】頭髪の生え際に沿って一周する様に立体的に成型し、２分割された金属製骨材の顔面リング▲１▼とネープ部リング▲２▼を連結軸▲５▼の長さの分だけ遊びを持たせ一体化させ、支点リング▲６▼を中心点として、２本のゴムひもの力を利用して、結んだ３ヶ所を引き寄せると、▲１▼と▲２▼のりングは、頭部に密着するまで、径を小さくしようと収縮する。そのリングの内側にポリウレタン製の顔面マット▲１１▼とゴムで成型した皮膚密着部▲１２▼で構成された防水部を接着し一体化させた器具にすると、ネープ部は開口部として残されるが、頭部回りからの流水は、完全にシャットアウトされ、首を動かしても、ズレたり落ちたりしない防水器具となる。【選択図】  図１
2006280866.tif 000002
【特許請求の範囲】
【請求項１】
本発明防水器具は図１で示す様に、アルミニウムパイプの構造物をゴムひもとバネの力を利用して、頭部に固定、装着させる機能と図２で示す様なポリウレタン、ゴム等を使用して成型した防水部を一体化させて使用する事で、手で保持しなくとも安全に防水効力を維持し続けられる器具である。
頭部に固定、装着させる為には、図１で示す様に、アルミニウム骨材を、頭髪の生え際に沿って一周する様な、顔面部リング▲１▼とネープ部リング▲２▼に分割する。一体化させる為に▲１▼の両端に袖受けリング▲４▼を設け、▲２▼の両端に設けた連結軸▲５▼を通す。連結軸の長さの分だけ頭部の外周より遊びのあるリングを、収縮させ、固定、装着させる為には、▲２▼の中央外側に支柱▲３▼を可動する様に取り付ける。支柱の先端は支点リング▲６▼となっており、連結軸の先端に取り付けたゴムひも▲７▼を支点リングを通してゴムひも受け▲８▼に結ぶと、ゴムひもの力は、支点リング▲６▼を中心にして、３ヶ所を引き寄せる様に作用する。連結軸▲５▼が逆八の字形を成している為、引き上げられるだけでなく、軸受け▲４▼も引き寄せられるので、遊びのあったリングの径は、皮膚に密着するまで収縮する事になる。その後、▲２▼の左右に取り付けてある装着用バネ付フック▲９▼を▲１▼の下部に設けたバネ受けリング▲１０▼にフックさせると、首を上下に動かしても、ネープ部のリング▲２▼は常に圧着力を失う事はなく、▲１▼と▲２▼に分割されたリングは、常にリング径を小さく収縮する作用を保ちながら、頭部に固定、装着される。
【請求項２】
防水部は、図▲２▼で示す様に、ポリウレタンで成型した顔面防水マット▲１１▼とその内側に、約３ｃｍ位の幅を有するゴムで成型した皮膚密着部▲１２▼で構成されるものと、裏側にシリコン１００％・ポリウレタン１００％を使用して成型した皮膚密着部▲１３▼を取り付けたネープ排水用クロス▲１４▼に分かれている。顔面防水マット▲１１▼の内側を、図１で示した、顔面ルング▲１▼の内側に接着させて使用すると、襟足部のみが開口し、それ以外の頭部からは、湯水の流出は完全にシャットアウトされる。ネープ排水用クロスの裏側には、一般的に商品名ヌーブラで知られている様に、皮膚に対する密着力が高いもので成型された▲１３▼が取り付けてある為、防水力は高い。
ズレ落ちる不安も、ネープ部リング▲２▼で押さえられているので、頭部にシャワーした湯水はネープ排水用クロス上を伝わり安全に排水される。
【請求項３】
本発明防水器具は、アルミ製構造物と軟質の防水部を別々に造り、接着させて構成されたものであるが、金属製の骨材を必要としない強度を有させた材質のもので、防水部も一体的に成型した顔面リング▲１▼とネープ部リング▲２▼を作り、▲１▼には軸受け▲４▼等を取り付け、▲２▼には連結軸▲５▼や支柱▲３▼等を取り付けて構成させても、本発明品と同様の能力を有する事になるので、骨材の材質や形状、防水部の材質や形状。又、骨材の使用有無は、図で示すものに限らずに使用する場合がある。
【発明の詳細な説明】
【発明の詳細な説明】
【発明の属する技術的分野】
【０００１】福祉施設や病院等で身体的弱者の人に、着衣・着座姿勢のままでも、洗髪を可能にする為の防水器具である。
【背景技術】
【０００２】一般的なシャンプー設備で対応出来ない身体的弱者の人は、入浴時以外に洗髪する事は、防水対策が無く、不可能であった。
【発明が解決しようとする課題】
【０００３】着座姿勢で頭部にシャワーした湯水を、顔面や首周り等に流出させない事は大切であるが、防水器具を手で保持しなくても、防水器具自体が、安定して頭部に装着されている機能を有していなければ使用に耐えられない。
【課題を解決する為の手段】
【０００４】防水器具に装着する機能と防水部を皮膚に圧着させる機能を有させる為に、アルミニウムの骨材で、図１で示す様に、頭部の生え際に沿った形状を有する顔面部リング▲１▼とネープ部リング▲２▼を作る。２分割されているリングを一体化させる為に、▲１▼の両端に軸受け▲４▼を、▲２▼の両端に連結軸▲５▼を設けてある。骨材を支える為に▲２▼には支柱▲３▼を可動する様に取り付け、先端は支点リング▲６▼になっている。
圧着力を得る為にゴムひも▲７▼を使用する。連結軸の先端２ヶ所に結んだ２本のゴムひもを支点リング▲６▼の中を通してヒモ受け▲８▼に均等な長さで結びつけると、使用時には後頭部の一部が支柱▲３▼の一部に当たり、押し広げる。伸ばされたゴムひもの力は、支点リング▲６▼を中心にして、３ヶ所を引き寄せる力として作用する為、顔面部リング▲１▼といネープ部リング▲２▼は収縮しあう。又、連結軸は逆八の字に付けてあるので、軸受け▲４▼も引き寄せる。最後に▲２▼の左右に取り付けてある装着バネ▲９▼をバネ受けリング▲１０▼へフックさせると、顔面部リング▲１▼の下部とネープ部リング▲２▼の収縮力が強化される。骨材の構造物は、支柱の一部と後頭部の一部が接するだけで、ゴムひもとバネの力で、完全に頭部に固定、装着させる事が出来る。洗髪時には、片手で支柱を後方に引く事により、より強くリング▲１▼と接着された顔面防水マット▲１１▼の内側は、線として防水効果を示す。図２で示す様に、皮膚密着部▲１２▼がゴム素材で約３ｃｍ位の幅で皮膚に密着させるのは、個人差を有する凸凹に対しての防水効果を高める為である。ネープ排水用クロス▲１４▼以外は、完全に一体化されている防水器具ではあるが、▲１４▼は裏面に取り付けた皮膚密着部▲１３▼の皮膚への接着力を利用して、防水器具を装着する前に、任意の襟足部位に取り付けておき使用するが、ネープ部リング▲２▼で押さえつけられる為、はがれ落ちる不安は解消される。
この様に、本発明防水器具を、頭部に装着すると、手で保持する必要もなく、首を後方に傾ける事も出来ない身体的弱者の人にも、着座姿勢のままで、完全に洗髪を行う事を可能にさせる。
【実施例】
【０００５】一般的なシャンプー設備が利用出来ず、入浴時以外は湯水を使用した洗髪が行えなった身体的弱者の人を、ベットに寝たままシャンプーする方法は、介護の業界で多々用意されて試されてはいるが、着座姿勢での洗髪法は、余りにも防水が難しかった為に、今日まで実施されることは無かった。
いつでも、どこでもシャンプーサービスの提供を容易にした本発明防水器具は、福祉の向上に広く役立つものである。
【図面の簡単な説明】
【０００６】
【図１】装着用金属製器具構造説明図
【図２】防水部位構造図
【図３】使用例
【符号の説明】
【０００７】▲１▼顔面部リング    ▲８▼ゴムひも留
▲２▼ネープ部リング  ▲９▼装着用フック付バネ
▲３▼支柱            ▲１０▼バネ受けリング
▲４▼軸受け          ▲１１▼顔面防水マット
▲５▼連結軸          ▲１２▼皮膚密着部
▲６▼支点リング      ▲１３▼シリコン１００％・ポリウレタン１００％製皮膚接着部
▲７▼ゴムひも        ▲１４▼ネープ排水用クロス
【図１】
2006280866.tif 000003
【図２】
2006280866.tif 000004
【図３】
2006280866.tif 000005